(57)【要約】【課題】ユーザが電力の使用制限量を決定し、電力使用量が制限量に近づいた場合は、家庭用電気製品の電力使用量を抑制する技術がある。しかしこの技術では、電力会社からの電力供給量の逼迫に対する家庭用電気製品の電力使用量の抑制については、考慮されていない。また、電力使用量のピーク時間に対する家庭用電気製品の電力使用量の抑制については、考慮しておらず、効率的な電力使用量の抑制をすることができない。【解決手段】所定の時間ごとに節電要求の有無を判断し、節電が必要な場合は、ユーザを選択し節電要求を出して家庭用電気製品の電気使用量を制御するシステムを提供する。より具体的には次の処理を実行する。30分ごとに予測電力使用量を計算し、電力供給量と予測電力使用量を比較しすることで、ユーザに節電要求を出すが必要があるかどうかを判断する。ユーザに節電要求を出す場合は、要求節電量を満たすまで、各ユーザの使用電力量、予測節電電力量、目標使用電力量を考慮して節電要求を出すユーザを決定する。【選択図】図１
2014039422.tif 000002
【特許請求の範囲】
【請求項１】
需要家が使用する電力使用量を抑制する使用電力抑制方法であって、
所定のタイミングで、前記需要家への電力を供給する電力会社が供給可能な供給量を算出するステップと、
複数の前記需要家の電力使用量の合計値を算出するステップと、
前記算出された供給量と前記算出された電力使用量の合計値とを比較するステップと、
前記比較の結果、前記電力使用量の合計値が前記供給量より多い場合、前記複数の需要家の中から電力使用量を抑制する需要家を選択する選択ステップと、
前記選択された需要家に対して電力使用量の抑制に関する情報を送信するステップと、
を備えることを特徴とする使用電力抑制方法。
【請求項２】
請求項１に記載の使用電力抑制方法において、
前記選択ステップは、節電量の多い需要家の順に電力使用量を抑制する需要家を選択することを特徴とする使用電力抑制方法。
【請求項３】
請求項２に記載の使用電力抑制方法において、
前記所定のタイミングは、３０分であることを特徴とする使用電力抑制方法。
【請求項４】
需要家が使用する電力使用量を抑制する使用電力抑制システムであって、
所定のタイミングで、前記需要家への電力を供給する電力会社が供給可能な供給量を算出する供給量算出処理部と、
複数の前記需要家の電力使用量の合計値を算出する電力使用量計算処理部と、
前記算出された供給量と前記算出された電力使用量の合計値とを比較する節電要求判断処理部と、
前記比較の結果、前記電力使用量の合計値が前記供給量より多い場合、前記複数の需要家の中から電力使用量を抑制する需要家を選択する節電需要家選択処理部と、
前記選択された需要家に対して電力使用量の抑制に関する情報を送信する節電要求送信処理部と、
を備えることを特徴とする使用電力抑制システム。
【発明の詳細な説明】
【技術分野】
【０００１】
電力使用量の抑制に関する技術。特に、節電要求時に、電力使用量を抑制するために節電するユーザを選択する方法についての技術である。
【背景技術】
【０００２】
ユーザ（需要家）の電力使用量の抑制においては、ユーザが電力の使用制限量を決定し、電力使用量が制限量に近づいた場合は、家庭用電気製品の電力使用量を抑制することで電力使用量を抑制している。これに関する技術として、特許文献１が上げられる。特許文献１には、家庭用電気製品をホームネットワークに接続することで、個々の家庭用電気製品の電力使用量を日別、月別で管理する技術が開示されている。特許文献１には、管理している個々の家庭用電気製品の電力使用量を管理し、使用量が制限量に近づいた場合は、削減が必要なことを通知し、個々の家庭用電気製品の使用量を抑止する技術が開示されている。
【先行技術文献】
【特許文献】
【０００３】
【特許文献１】特開2010-117879号公報
【発明の概要】
【発明が解決しようとする課題】
【０００４】
特許文献１では、電力会社からの電力供給量の逼迫に対する家庭用電気製品の電力使用量の抑制については、考慮されておらず、電力供給量が逼迫した場合の停電の回避には対処できない。特許文献１では、電力使用量のピーク時間に対する家庭用電気製品の電力使用量の抑制については、考慮しておらず、効率的な電力使用量の抑制をすることができない。
【課題を解決するための手段】
【０００５】
所定の時間ごとに節電要求の有無を判断し、節電が必要な場合は、ユーザを選択し節電要求を出して家庭用電気製品の電気使用量を制御するシステムを提供する。
【０００６】
より具体的には次の処理を実行する。30分ごとに予測電力使用量を計算し、電力供給量と予測電力使用量を比較することで、ユーザに節電要求を出す必要があるかどうかを判断する。ユーザに節電要求を出す場合は、要求節電量を満たすまで、各ユーザの使用電力量、予測節電電力量、目標使用電力量を考慮して節電要求を出すユーザを決定する。節電要求が出たユーザの家庭用電気製品を抑制し、電力使用量の抑制を行う。
【発明の効果】
【０００７】
本発明によれば、例えば30分といった単位の所定の時間ごとの予測電力使用量を使用することで、節電が必要な電力消費のピーク時間を細かく節電することが可能となり、電力使用量の抑制を最小限に抑えられる。所定の時間ごとのユーザの電力使用量を使用して各ユーザの予測節電電力量を算出することで、効率的な電力使用量の抑制が可能となる。ユーザ及び電力会社は、過度な節電を実施する必要がなくなり、必要とする節電を実施することが可能である。
【図面の簡単な説明】
【０００８】
【図１】節電要求ユーザを選択し、ユーザ電力使用量を抑制するシステムのシステム構成図である。
【図２】ユーザ単位で計器から取得した検針データを管理する検針データテーブルの記録フォーマットである。
【図３】ユーザ単位に目標電力量、電力使用量、予測節電電力使用量を管理するユーザ節電電力量テーブルの記録フォーマットである。
【図４】時間単位に電力供給量、電力使用量、予測電力使用量、節電電力量を管理する電力供給テーブルの記録フォーマットである。
【図５】ユーザ単位に目標使用電力量を管理するユーザ目標使用電力量管理テーブルの記録フォーマットである。
【図６】ユーザごとにシナリオ実行時の家庭用電気製品の電力使用量を管理する家庭用電気製品電力使用量テーブルの記録フォーマットである。
【図７】ユーザごとに節電時の家庭用電気製品の制御シナリオを管理する節電要求時家庭用電気製品制御シナリオテーブルの記録フォーマットである。
【図８】ユーザごとに節電要求の有無を管理する節電要求管理テーブルの記録フォーマットである。
【図９】所定の時間ごとに全体電力使用量を計算する処理フローである。
【図１０】ユーザの目標使用電力量を登録する処理フローである。
【図１１】ユーザが節電時の電力使用量を計算する処理フローである。
【図１２】節電要求の有無を決定する処理フローである。
【図１３】節電要求を出すユーザを決定する処理フローである。
【図１４】ユーザへ節電要求を送信する処理フローである。
【図１５】家庭用電気製品を制御する処理フローである。
【発明を実施するための形態】
【実施例１】
【０００９】
以下、図面を用いて本発明に関する実施の形態を説明する。
【００１０】
図１は、節電要求ユーザを選択し、ユーザ電力使用量を抑制するシステムのシステム構成図である。本システムはネットワーク（例えばインターネット）１、記憶装置２、電力使用量を計測する計器３、操作端末４、家庭用電気製品５を備える。電力会社、データセンタ、アグリゲータ、ユーザはネットワークを介して接続されている。電力会社は、電力使用料を計算する電力使用量計算システム１０を備えており、このシステム１０は電力使用量を計算する電力使用量計算処理部１００を備えている。
【００１１】
アグリゲータは、電力会社からの節電要求に基き、複数の需要家夫々の節電を管理するシステムを備えている。より具体的には、ユーザの目標使用電力量を登録するシステム２０、節電要求を出すユーザを選択するユーザ選択システム４０、を備えている。ここで、システム２０は、目標使用電力量を登録する処理部２００を備えている。また、システム４０は、節電要求の有無を判断する処理部４００、節電要求をするユーザを選択する処理部５００、節電要求を送信する処理部６００を備えている。
【００１２】
ユーザは家庭用電気製品を制御する家庭用電気製品制御システム３０を備えており、このシステム３０は、節電時の電力使用量を計算する処理部３００と家庭用電気製品を制御する制御部７００を備えている。
【００１３】
データセンタ２は、本システムで利用される各種テーブル（図２から図８）が格納されている。なお、このデータセンタへは電力会社及びアグリゲータがアクセスすることを想定している。その際は、各種のセキュリティを実装することで、電力会社のみがアクセスできる情報とアグリゲータのみがアクセスできる情報とを分けることができる。
【００１４】
図２は、ユーザ単位で計器から取得した検針データを管理する検針データテーブルの記録フォーマットである。検針データテーブルは、ユーザＩＤ２０００、計器番号２００１、年月日分２００２、電力使用量２００３を備えている。これら検針データは所定の周期（例えば３０分）で、計器３からネットワークを介してデータセンタに送信される。ここでいうネットワークは、例えばAMIネットワークのようなものを指し、図１のネットワーク１とは別物であってもよい。
【００１５】
図３は、ユーザ単位に目標電力量、電力使用量、予測節電電力使用量を管理するユーザ節電電力量テーブルの記録フォーマットである。このテーブルはユーザＩＤ３０００、計器番号３００１、目標使用電力量３００２、年月日３００３、電力使用量３００４、予測節電電力使用量３００５を備える。
【００１６】
図４は、時間単位に電力供給量、電力使用量、予測電力使用量、節電電力量を管理する電力供給テーブルの記録フォーマットである。このテーブルは、どのタイミングでの供給量かを示すための年月日時分の情報４０００、その時点での電力供給量４００１、その時点での全体電力使用量４００２、所定時間後の全体予測電力使用量４００３、その所定時間後の全体節電電力量４００４を示す。ここで、所定時間とは、例えば、３０分や１時間程度の単位であってもよいし、数日オーダーの単位であってもよい。
【００１７】
図５は、ユーザ単位に目標使用電力量を管理するユーザ目標使用電力量管理テーブルの記録フォーマットである。５０００はユーザＩＤ、５００１は目標使用電力量を示す。
【００１８】
図６は、ユーザごとにシナリオ実行時の家庭用電気製品の電力使用量を管理する家庭用電気製品電力使用量テーブルの記録フォーマットである。６０００はユーザＩＤ、６００１は家庭用電気製品番号、６００２は家庭用電気製品制御シナリオ、６００３は家庭用電気製品電力使用量を示す。
【００１９】
図７は、ユーザごとに節電時の家庭用電気製品の制御シナリオを管理する節電要求時家庭用電気製品制御シナリオテーブルの記録フォーマットである。７０００は、ユーザＩＤ、７００１は、節電要求時制御シナリオを示す。
【００２０】
図８は、ユーザごとに節電要求の有無を管理する節電要求管理テーブルの記録フォーマットである。このテーブルは、ユーザＩＤ８０００、節電要求を出した年月日時の情報８００１、節電要求があったことを示すフラグ（節電要求）８００２を備えている。
【００２１】
図９は、30分単位で全体電力使用量を計算する処理フローである。ここで全体とは、電力会社が管理している管轄内の全使用量を計算することを意味する。この処理は電力会社の電力使用量計算処理部が行う。９０００は検針データテーブルから全ユーザの電力使用量を取得するステップ、９００１は取得した全ユーザの電力使用量から全体電力量を算出するステップ、９００２は電力供給量テーブル（図４）の全体電力使用量４００２を更新するステップを示す。なお、この更新を行った日時情報を年月日時分４０００に格納する。
【００２２】
図１０は、ユーザの目標使用電力量を登録する処理フローである。この処理はアグリゲータの目標使用電力量登録処理部が行う。１００００は端末からユーザＩＤと目標使用電力量を受信するステップ、１０００１はユーザ目標使用電力量管理テーブル（図３）の目標使用電力量項目３００３を更新するステップを示す。
【００２３】
図１１は、ユーザ単位での節電時の電力使用量を計算する処理フローである。１１０００は端末から各家庭用電気製品の節電時の家庭用電気製品制御シナリオを受信するステップ、１１００１は家庭用電気製品制御シナリオテーブルから各家庭用電気製品の 家庭用電気製品電力使用量項目を取得するステップ、１１００２は取得した各家庭用電気製品の電力使用量を合算し予測節電電力使用量を計算するステップ、１１００３はユーザ節電電力量テーブルの予測節電電力使用量項目を更新するステップ、１１００４は節電要求時家庭用電気製品制御シナリオを作成するステップ、１１００５は節電要求時家庭用電気製品制御シナリオテーブルの節電要求時制御シナリオ項目を更新するステップを示す。
【００２４】
図１２は、節電要求が必要かどうかを判断する処理フローである。この処理は、アグリゲータの節電要求判断処理部４００が行う。１２０００は電力供給量テーブルから電力供給量項目を取得するステップである。このステップ、つまり節電要求の要否判断を開始するタイミングは、３０分といった所定のタイミングで繰り返し実行される。
１２００１は電力供給量テーブルから全体予測電力使用量項目を取得するステップ、１２００２は電力供給量と全体予測電力使用量から全体節電電力量を算出するステップ、１２００３は電力供給量テーブルの全体節電電力量項目を更新するステップ、１２００４は全体予測電力使用量が供給電力量を上回っているかを判断するステップ、１２００５は節電ユーザを選択するステップ、１２００６は節電要求を送信するステップを示す。
【００２５】
図１３は、節電ユーザを選択する処理フローである。この処理はアグリゲータの節電ユーザ選択処理部５００が行う。１３０００は検針データテーブルから全ユーザの電力量使用量項目を取得するステップ、１３００１はユーザ節電電力量テーブルの電力使用量項目を更新するステップ、１３００２はユーザ節電電力量テーブルから使用電力量が目標使用電力量を超えているユーザを予測節電電力量が多い順に取得するステップ、１３００３は対象ユーザが存在するかを判断するステップ、１３００４は選択したユーザの予測節電電力量を加算するステップ、１３００５は節電要求管理テーブルを作成するステップ、１３００６は電力供給量テーブルの全体節電電力量項目を取得するステップ、１３００７は予測節電電力量が全体節電電力量を超えているかを判断するステップ、１３００８は節電要求送信するステップ、１３００９は使用電力量超過していないユーザを節電電力量が多いユーザ順に取得するステップを示す。
【００２６】
図１４は、節電要求を送信する処理フローである。この処理はアグリゲータの節電要求送信処理部が行う１４０００は節電要求管理テーブルからユーザＩＤを取得するステップ、１４００１は電力供給量テーブルから全体節電電力量項目を取得するステップ、１４００２は節電要求が必要であるかを判断するステップ、１４００３は家庭用電気製品制御システムへ節電要求を送信するステップ、１４００４は端末Ａへ節電不要メールを通知するステップを示す。ここで、ステップ１４００２では、全体節電電力量が０より大きい場合、節電要求が必要と判断する。
【００２７】
図１５は、家庭用電気製品を制御する処理フローである。この処理はユーザの家庭用電気製品制御部が行う。１５０００は節電要求を受信するステップ、１５００１は家庭用電気製品制御シナリオテーブルからを制御シナリオ取得するステップ、１５００２は家庭用電気製品を制御するステップを示す。
【００２８】
次に図９から図１５を用いて節電要求の有無を判断して節電要求ユーザを選択し、ユーザ電力使用量を抑制する方法について説明する。
【００２９】
まず、図９では電力会社にて３０分ごとに、検針データテーブルから全ユーザの電力使用量項目を取得するステップ９０００を行い、現在時間と検針データテーブルの年月日時分２００２が一致する全ユーザの電力使用量２００３を取得する。全体電力使用量を算出するステップ９００１を行い、９０００ステップで取得した全ユーザの電力使用量２００３を合算し全体電力使用量を求める。電力供給量テーブルの全体電力使用量項目を更新するステップ９０００２を実行し、電力供給量テーブルの年月日時分４０００、全体電力使用量４００２を更新する。
【００３０】
図１０では、端末ＡからユーザＩＤと目標使用電力量を受信するステップ１００００を行い、端末ＡからユーザＩＤと目標使用電力量を受信する。ユーザ目標使用電力量管理テーブルの目標使用電力量項目を更新するステップ１０００１を実行し、ステップ１００００で取得したユーザＩＤをキーにユーザ目標使用電力量管理テーブルの目標使用電力量項目３０００３を更新する。図１０の処理は、端末Ａからユーザが目標使用電力量を送信した時に実行される。
【００３１】
図１１では、端末Ａから各家庭用電気製品の節電時の家庭用電気製品制御シナリオを受信するステップ１１０００を実行し、ユーザが端末Ａから送信した各電気製品の節電時のシナリオと家庭用電気製品番号を受信する。家庭用電気製品制御シナリオテーブルから各家庭用電気製品の家庭用電気製品電力使用量項目を取得するステップ１１００１を実行し、ステップ１１０００で取得した家庭用節電時のシナリオと家庭用電気製品番号をキーに家庭用電気製品制御シナリオテーブルから各家庭用電気製品の家庭用電気製品電力使用量６００３を取得する。予測節電電力使用量を計算するステップ１１００２を実行し、ステップ１１００１で取得した家庭用電気製品電力使用量６００３を加算して予測節電電力使用量を算出する。ユーザ節電電力量テーブルの予測節電電力使用量項目を更新するステップ１１００３を実行し、ユーザＩＤをキーにユーザ節電電力量テーブルの予測節電電力使用量３００５を更新する。節電要求時家庭用電気製品制御シナリオを作成するステップ１１００４を実行し、節電要求があった時の家庭用電気製品制御シナリオを作成する。節電要求時家庭用電気製品制御シナリオテーブルの節電要求時制御シナリオ項目を更新するステップを実行し、ユーザＩＤをキーに節電要求時家庭用電気製品制御シナリオテーブルの節電要求時制御シナリオ７００１を更新する。図１１の処理は、端末Ａからユーザが家庭用電気製品制御シナリオを送信した時に実行される。
【００３２】
図１２では、３０分ごとに電力供給量テーブルから電力供給量項目を取得するステップ１２０００を実行し、時間をキーにして電力供給量テーブルの電力供給量４００１を取得する。電力供給量テーブルから全体予測電力使用量項目を取得するステップ１２００１を実行し、時間をキーに電力供給量テーブルから全体予測電力使用量４００３を取得する。電力供給量と全体予測電力使用量から全体節電電力量を算出するステップ１２００２を実行し、ステップ１２０００で取得した電力供給量４００１、ステップ１２００１で取得した全体予測電力使用量４００３を使い、全体節電電力量を計算する。電力供給量テーブルの全体節電電力量項目を更新するステップ１２００３を実行し、時間をキーに電力供給量テーブルの全体節電電力量４００４を更新する。全体予測電力使用量が供給電力量を上回っているかを判断するステップ１２００４を実行し、１２０００で取得した供給電力量４００１と１２００２で算出した全体予測電力量４００３を比較し、供給電力量４００１が全体予測電力使用量４００３以下である場合は、節電ユーザを選択するステップ１２００５を実行する。供給電力量４００１が全体予測電力使用量４００３より多い場合は、節電要求を送信するステップ１２００６を実行する。
【００３３】
図１３では、節電要求があった場合に検針データテーブルから全ユーザの電力量使用量項目を取得ステップ１３０００を実行し、時間をキーに検針データテーブルから全ユーザのユーザＩＤ２０００、電力量使用量２００３を取得する。ユーザ節電電力量テーブルの電力使用量項目を更新するステップ１３００１を実行し、１３０００で取得した電力使用量をユーザＩＤ２０００をキーにユーザ節電電力量テーブルの電力使用量３００４を更新する。ユーザ節電電力量テーブルから目標使用電力量≦電力使用量のユーザを予測節電電力量が多い順に取得するステップ１３００２を実行し、ユーザ節電電力量テーブルから目標使用電力量３００３が電力使用量３００４以下のユーザを選択し、かつ、予測節電電力量３００５が多い順に取得する。対象ユーザが存在するかを判断するステップ１３００３を実行し、１３００２で取得したユーザが存在するかどうかを判断する。ユーザが存在する場合は、予測節電電力量を加算するステップ１３００４を実行し、１３００２で取得したユーザの予測節電電力量３００５を加算する。節電要求管理テーブルを作成するステップ１３００５を実行し、節電要求があったユーザの節電要求管理テーブルを作成する。電力供給量テーブルの全体節電電力量項目を取得するステップ１３００６を実行し、電力供給量テーブルの全体節電電力量４００４を取得する。予測節電電力量が全体節電電力量を超えているかを判断するステップ１３００７を実行し、ステップ１３００７で取得した全体節電電力量４００４とステップ１３００４で計算した予測節電電力量を比較し、全体節電電力量４００４が予測節電電力量より少ないかを判断する。全体節電電力量４００４が予測節電電力量より多い場合は、１３００３ステップを実行し、ステップ１３００２のユーザが存在する間は、全体節電電力量４００４が予測節電電力量より少なくなるまで、ステップ１３００３から１３００７を繰り返す。ステップ１３００３で１３００２のユーザが存在しない場合は、使用電力量超過していないユーザを節電電力量が多いユーザ順に取得するステップ１３００９を実行し、ユーザ節電電力量テーブルから目標使用電力量３００３が電力使用量３００４より多いユーザを予測節電電力量３００５が多い順に取得する。ステップ１３００４からステップ１３００７まで実行し、ステップ１３００７全体節電電力量４００４が予測節電電力量より多い場合は、ステップ１３００９のユーザが存在する間は、全体節電電力量４００４が予測節電電力量より少なくなるまで、ステップ１３００３から１３００７を繰り返す。ステップ１３００７で、全体節電電力量４００４が予測節電電力量より少なかった場合は、節電要求送信するステップ１３００８を実行する。
【００３４】
図１４では、ステップ１２００６、ステップ１３００８で節電要求送信処理が必要となった場合に、節電要求管理テーブルからユーザＩＤを取得するテップ１４０００を実行し、節電要求管理テーブルからユーザＩＤ８０００を取得する。電力供給量テーブルから全体節電電力量項目を取得するステップ１４００１を実行し、電力供給量テーブルから全体節電電力量４００４を取得する。節電要求が必要であるかを判断するステップ１４００２を実行し、ステップ１４００１で取得した全体節電電力量４００４が全体節電電力量４００４が０より多いかを判断する。全体節電電力量４００４が０より多い場合は、家庭用電気製品制御システムへ節電要求を送信するステップ１４００３を実行し、１４００２で取得したユーザＩＤ８０００の家庭用電気製品制御システムへ節電要求を送信する。全体節電電力量４００４が０以下である場合は端末Ａへ節電不要メールを通知するステップ１４００４を実行し、１４００２で取得したユーザＩＤ８０００の端末Ａへ節電不要メールを送信する。
【００３５】
図１５では、節電要求があった場合に節電要求を受信するステップを実行し、１４００３ステップから節電要求を受信する。家庭用電気製品制御シナリオテーブルからを制御シナリオ取得するステップを実行し、ユーザＩＤをキーに家庭用電気製品制御シナリオテーブルからを節電要求時制御シナリオ７００１を取得する。家庭用電気製品を制御するステップ１５００２を実行し、１５００１ステップで取得した節電要求時制御シナリオ７００１に従い家庭用電気製品を制御する。
【符号の説明】
【００３６】
１  ネットワーク
２  記憶装置
３  電力使用量を計測する計器
４  操作端末
５  家庭用電気製品
１０  電力使用量を計算するシステム
２０  ユーザの目標使用電力量を登録するシステム
３０  家庭用電気製品を制御する家庭用電気製品制御システム
４０  節電要求を出すユーザを選択するユーザ選択システム
１００  電力使用量を計算する処理部
２００  目標使用電力量を登録する処理部
３００  節電時の電力使用量を計算する処理部
４００  節電要求の有無を判断する処理部
５００  節電要求をするユーザを選択する処理部
６００  節電要求を送信する処理部
７００  家庭用電気製品を制御する制御部
２０００  ユーザＩＤ
２００１  計器番号
２００２  年月日分
２００３  電力使用量
３０００  ユーザＩＤ
３００１  計器番号
３００２  目標使用電力量
３００３  年月日
３００４  電力使用量
３００５  予測節電電力使用量
４０００  年月日時分
４００１  電力供給量
４００２  全体電力使用量
４００３  全体予測電力使用量
４００４  全体節電電力量  ５０００  ユーザＩＤ
５００１  目標使用電力量
６０００  ユーザＩＤ
６００１  家庭用電気製品番号
６００２  家庭用電気製品制御シナリオ
６００３  家庭用電気製品電力使用量
７０００  ユーザＩＤ
７００１  節電要求時制御シナリオ
８０００  ユーザＩＤ
８００１  年月日時
８００２  節電要求
【図１】
2014039422.tif 000003
【図２】
2014039422.tif 000004
【図３】
2014039422.tif 000005
【図４】
2014039422.tif 000006
【図５】
2014039422.tif 000007
【図６】
2014039422.tif 000008
【図７】
2014039422.tif 000009
【図８】
2014039422.tif 000010
【図９】
2014039422.tif 000011
【図１０】
2014039422.tif 000012
【図１１】
2014039422.tif 000013
【図１２】
2014039422.tif 000014
【図１３】
2014039422.tif 000015
【図１４】
2014039422.tif 000016
【図１５】
2014039422.tif 000017